(57)【要約】【目的】女性等のユーザが、時間も費用も少なくて済み、仕様の決定も容易なアクセサリーケース電子オーダ方法を提供しようとするものである。【解決手段】ユーザ端末がセンターサーバとインターネットを介して接続されており、アクセサリーの収納に必要な収納空間を類型化して形成した複数の基本収納ユニットを組み合わせてその内部が構成されるアクセサリーケースの、その構成要素である基本収納ユニットの情報を集積した基礎情報をセンターサーバが備えており、ユーザ端末が基礎情報を取得して表示するとともに、表示された基礎情報を用いて、ユーザが基本収納ユニットを選択して個別仕様情報をユーザ端末に入力すると、センターサーバがユーザ用のアクセサリーケースの製作に必要な情報を外部に出力する。【選択図】　　図５
2004046423.tif 000002
【特許請求の範囲】
【請求項１】
アクセサリーケースをオーダするユーザにより操作されるユーザ端末が、このオーダを受けるセンターサーバと、インターネットを介して接続されており、
１個または複数個のアクセサリーの収納に必要な収納空間を類型化して形成した、形状、または、サイズ、或は、その双方が互いに異なる複数の基本収納ユニットの中から、一つを用いて、或は、二つ以上を組み合わせてその内部が構成される前記アクセサリーケースの、その構成要素である前記基本収納ユニットの、少なくとも、識別コード、前記形状、及び、前記サイズを集積した情報である基礎情報を、前記センターサーバが備えており、
前記ユーザ端末が、前記センターサーバにアクセスして前記基礎情報を取得し、これを前記ユーザ端末に表示するとともに、表示された前記基礎情報を用いて、前記ユーザがその有するアクセサリーの個々のサイズに適合する前記基本収納ユニットを選択して、少なくともその基本収納ユニットの前記識別コードとその識別コード毎の個数とでなる個別仕様情報を前記ユーザ端末に入力すると、この個別仕様情報を前記ユーザ端末がセンターサーバに提供することにより、前記センターサーバが前記ユーザ用の前記アクセサリーケースの製作に必要な情報を取得して外部に出力してなることを特徴とするアクセサリーケース電子オーダ方法。
【請求項２】
複数個のアクセサリーの収納に必要な収納空間を類型化して形成した少なくとも一部の前記基本収納ユニットに対して、この収納空間を分割する仕切を設けるとともに、その仕切の少なくとも、形状、及び、サイズを、前記基礎情報に含んでなる請求項１記載のアクセサリーケース電子オーダ方法。
【請求項３】
前記基本収納ユニット内に、或は、前記基本収納ユニットの前記仕切内に、着脱可能に内設して用いられ、前記基本収納ユニットに収納される前記アクセサリーを固定して保持する単または複数種類のパッドの、少なくとも、識別コード、及び、形状を、前記基礎情報に含ませて、前記ユーザがこの基礎情報を用いて前記パッドを選択可能とするとともに、
前記ユーザが前記パッドを選択した場合に、前記ユーザが前記ユーザ端末に入力する、前記パッドの少なくとも前記識別コードとその識別コード毎の個数とを、前記個別仕様情報に含めてなる請求項１または２記載のアクセサリーケース電子オーダ方法。
【請求項４】
前記ユーザ端末が、前記基礎情報に含まれている前記基本収納ユニットの形状と、前記仕切の形状や前記パッドの形状が前記基礎情報に含まれている場合は、これらを合わせて、原寸大で印刷してなる請求項１から３のいずれか１項に記載のアクセサリーケース電子オーダ方法。
【請求項５】
アクセサリーケースをオーダするユーザにより操作されるユーザ端末が、このオーダを受けるセンターサーバと、インターネットを介して接続されており、
前記センターサーバは、
１個または複数個のアクセサリーの収納に必要な収納空間を類型化して形成した、形状、または、サイズ、或は、その双方が互いに異なる複数の基本収納ユニットの中から、一つを用いて、或は、二つ以上を組み合わせてその内部が構成される前記アクセサリーケースの、その構成要素である前記基本収納ユニットの、少なくとも、識別コード、前記形状、及び、前記サイズを集積した情報である基礎情報を保持する基礎情報保持手段と、
前記ユーザ端末から、前記ユーザ用の前記アクセサリーケースの製作に必要な情報である個別仕様情報を取得してこれを外部に出力する個別仕様情報取得手段と、を備えており、
前記ユーザ端末は、
前記センターサーバにアクセスして前記基礎情報を取得し、前記ユーザ端末に表示する基礎情報取得手段と、
表示された前記基礎情報を用いて、前記ユーザがその有するアクセサリーの個々のサイズに適合する前記基本収納ユニットを選択して、少なくとも、その基本収納ユニットの前記識別コードとその識別コード毎の個数とでなる前記個別仕様情報を入力する入力手段と、
入力された前記個別仕様情報をセンターサーバに提供する提供手段と、を備えてなることを特徴とするアクセサリーケース電子オーダシステム。
【請求項６】
複数個のアクセサリーの収納に必要な収納空間を類型化して形成した少なくとも一部の前記基本収納ユニットに対して、この収納空間を分割する仕切を設けるとともに、その仕切の少なくとも、形状、及び、サイズを、前記センターサーバの前記基礎情報保持手段が保持する前記基礎情報に含んでなる請求項５記載のアクセサリーケース電子オーダシステム。
【請求項７】
前記基本収納ユニット内に、或は、前記基本収納ユニットの前記仕切内に、着脱可能に内設して用いられ、前記基本収納ユニットに収納される前記アクセサリーを固定して保持する単または複数種類のパッドの、少なくとも、識別コード、及び、形状を、前記基礎情報保持手段が保持する前記基礎情報に含ませて、前記ユーザがこの基礎情報を用いて前記パッドを選択可能とするとともに、
前記ユーザが前記パッドを選択した場合に、前記ユーザが前記ユーザ端末に入力する、前記パッドの少なくとも前記識別コードとその識別コード毎の個数とを、前記個別仕様情報に含めてなる請求項５または６記載のアクセサリーケース電子オーダシステム。
【請求項８】
前記ユーザ端末が、前記基礎情報に含まれている前記基本収納ユニットの形状と、前記仕切の形状や前記パッドの形状が前記基礎情報に含まれている場合は、これらを合わせて、原寸大で印刷する印刷手段を備えてなる請求項５から７のいずれか１項に記載のアクセサリーケース電子オーダシステム。
【請求項９】
前記アクセサリーケースの内部の構成を作成する内部構成作成プログラムを有しており、前記個別仕様情報取得手段が取得した前記個別仕様情報に基づき、前記プログラムにより、前記アクセサリーケースの内部の構成を作成して外部に出力する内部構成作成手段を、前記センターサーバが備えてなる請求項５から８のいずれか１項に記載のアクセサリーケース電子オーダシステム。
【請求項１０】
１個または複数個のアクセサリーの収納に必要な収納空間を類型化して形成した、形状、または、サイズ、或は、その双方が互いに異なる複数の基本収納ユニットの中から、一つを用いて、或は、二つ以上を組み合わせてその内部が構成される前記アクセサリーケースの、その構成要素である前記基本収納ユニットの、少なくとも、識別コード、前記形状、及び、前記サイズを集積した情報である基礎情報を保持する基礎情報保持手段と、
前記基礎情報を表示する基礎情報表示手段と、
表示された前記基礎情報を用いて、ユーザがその有するアクセサリーの個々のサイズに適合する前記基本収納ユニットを選択して、少なくとも、その基本収納ユニットの前記識別コードとその識別コード毎の個数とでなる前記個別仕様情報を入力する入力手段と、
前記個別仕様情報を外部に出力する出力手段と、でなることを特徴とするアクセサリーケース電子オーダ装置。
【請求項１１】
複数個のアクセサリーの収納に必要な収納空間を類型化して形成した少なくとも一部の前記基本収納ユニットに対して、この収納空間を分割する仕切を設けるとともに、その仕切の少なくとも、形状、及び、サイズを、前記基礎情報保持手段が保持する前記基礎情報に含んでなる請求項１０記載のアクセサリーケース電子オーダ装置。
【請求項１２】
前記基本収納ユニット内に、或は、前記基本収納ユニットの前記仕切内に、着脱可能に内設して用いられ、前記基本収納ユニットに収納される前記アクセサリーを固定して保持する単または複数種類のパッドの、少なくとも、識別コード、及び、形状を、前記基礎情報保持手段が保持する前記基礎情報に含ませて、前記ユーザがこの基礎情報を用いて前記パッドを選択可能とするとともに、
前記ユーザが前記パッドを選択した場合に、前記ユーザが前記入力手段により入力する、前記パッドの少なくとも前記識別コードとその識別コード毎の個数とを、前記個別仕様情報に含めてなる請求項１０または１１記載のアクセサリーケース電子オーダ装置。
【請求項１３】
前記基礎情報に含まれている前記基本収納ユニットの形状と、前記仕切の形状や前記パッドの形状が前記基礎情報に含まれている場合は、これらを合わせて、原寸大で印刷する印刷手段を備えてなる請求項１０から１２のいずれか１項に記載のアクセサリーケース電子オーダ装置。
【請求項１４】
前記アクセサリーケースの内部の構成を作成する内部構成作成プログラムを有しており、前記入力手段により入力された前記個別仕様情報に基づき、前記プログラムにより、前記アクセサリーケースの内部の構成を作成して外部に出力する内部構成作成手段を備えてなる請求項１０から１３のいずれか１項に記載のアクセサリーケース電子オーダ装置。
【発明の詳細な説明】
【０００１】
【発明の属する技術分野】
この発明は、アクセサリーケース電子オーダ方法、そのシステム、及びアクセサリーケース電子オーダ装置に関するものである。
【０００２】
【従来の技術】
一般に、ほとんどの女性は、外出する際には、指輪、イヤリング、ネックレス等、何等かのアクセサリーを身に付けている。これらのアクセサリーは、外出時の装いに合わせて異なるアクセサリーを用いるのが一般であり、そのため、自らの装いに合わせて、必要なアクセサリーを次から次に購入する結果、個人差はあるものの、多くのアクセサリーを保有する状況となっている。これらのアクセサリーは、高級品は専用のケースに入れられているが、低価格品では専用のケースがないものも多く、その保管方法について苦慮している女性が多いのが現状である。
この場合、専用のケースがあるアクセサリーは、その専用のケースに入れて保管することができるので、保管方法としては何ら問題が発生しないようにも見える。しかし、アクセサリーをたくさん購入した結果、このようなアクセサリー１個入りのケースが増えてくると、その保管場所探しに苦労することになる。それのみならず、さらに、その日自分が身に付ける特定のものを、多くのアクセサリーの中から探し出すのに、ケース一つひとつの蓋を開けてみないと分からないような事態が生じている。そこで、一つのケースに多くのアクセサリーが収納できれば、このような問題を解決することができる。
【０００３】
【発明が解決しようとする課題】
上述したような、一つのケースで多くのアクセサリーが収納できるアクセサリーケースも全く存在しないわけではなく、入手することは可能である。しかしながら、これらのアクセサリーケースは、そのケース内部の仕切りが予め決められており、自らが保有している種類や数量のアクセサリーを収納しようとしても、収納しきれない場合がほとんどである。しかも、保有しているアクセサリーの種類や数量は人によって異なることから、自らが保有している種類や数量のアクセサリーを収納できるアクセサリーケースを入手しようとすると、オーダーメイドに頼らざるを得ない。しかし、アクセサリーケースの販売は、アクセサリーの販売店で行われるのがほとんどであるところ、アクセサリーそのものに較べると、一般に、アクセサリーケースの取引量、その金額はともに多くはなく、従って、このような販売店は、アクセサリーを主体としているところがほとんどであり、まして、アクセサリーケースのオーダーメイドを引き受ける所はほとんどないのが現状である。
【０００４】
また、販売店でオーダーメイドを引き受けてくれたとしても、実際に製作するのはアクセサリーケースの製造メーカであり、販売店から問屋を通じて製造メーカに製作依頼が行われることから、オーダーメイド品を入手するには、時間も費用もかかるのが実情である。また、時間も費用もかかることを承知の上でオーダーメイドを依頼したとしても、アクセサリーケースの仕様の決定を容易に行え、しかも個々のユーザの要求を十分に反映できる方法はないのが実情である。そのため、ユーザである女性が、自らの保有している種類や数量のアクセサリーを収容可能なアクセサリーケースを入手することは、極めて困難であった。
そこで、この発明はこのような現状を打開するためになされたものであって、女性等のユーザが、従来の方法に比べて時間も費用も少なくて済み、仕様の決定も容易なアクセサリーケース電子オーダ方法、そのシステムを提供しようとするものである。
【０００５】
【課題を解決するための手段】
アクセサリーは、その形状やサイズが個々にまちまちであり、一定していない。しかし、指輪、イヤリング、ネックレス、ブローチ等のカテゴリーに注目してみると、それぞれのカテゴリーにおいては、１個のアクセサリーを収納するのに必要な収納空間の形状とサイズは、何種類かに類型化することができる。この点に注目して、類型化した複数の基本収納ユニットの中から、ユーザがその有するアクセサリーの個々のサイズに適合する基本収納ユニットを選択するとともに、この選択した基本収納ユニットを組合せて、アクセサリーケースの内部を構成する仕組を用いたのが本発明である。そのため、本発明は、アクセサリーケースの仕様の決定が容易に行え、且つ、この利点を生かすことで容易に実現が可能なインターネット等による、ユーザと製造メーカとの直接取引の仕組を提供するものである。
また、このような仕組でアクセサリーケースの仕様を決定する方法は、インターネットを用いたアクセサリーケースのオーダのみならず、店舗におけるアクセサリーケースのオーダーメイド販売にも使用が可能である。この発明は、この点にも配慮している。
【０００６】
最初に、本発明のアクセサリーケース電子オーダ方法について説明する。図４は、本発明のアクセサリーケース電子オーダ方法に使用されるシステムの構成を示したものである。
図４において、本発明のアクセサリーケース電子オーダ方法では、アクセサリーケースをオーダするユーザ１４により操作されるユーザ端末１２が、このオーダを受けるセンターサーバ１１と、インターネット１３を介して接続されている。そして、センターサーバ１１は、１個または複数個のアクセサリーの収納に必要な収納空間を類型化して形成した、形状、または、サイズ、或は、その双方が互いに異なる複数の基本収納ユニットの中から、一つを用いて、或は、二つ以上を組み合わせてその内部が構成されるアクセサリーケースの、その構成要素である基本収納ユニットの、少なくとも、識別コード、形状、及び、サイズを集積した情報である基礎情報１１ａを備えている。
【０００７】
例えば、図１に示すような、内部が３段で構成され、上段３は、上蓋２を備えた上方に開口した内部スペースを有し、中段４と下段５は、ともに引き出しタイプで上方に開口した内部スペースを有しているアクセサリーケース１を作成する場合、上段３や中段４、下段５の内部を構成するに際して、１個のアクセサリーの収納に必要な収納空間を類型化して形成した、複数の基本収納ユニットを設ける。そして上段３や中段４、下段５の内部を、これらの基本収納ユニットを組み合わせて構成する。図２は、この基本収納ユニットの例を示したものであり、ＵＡは指輪の収納に必要なスペースを、ＵＢ１、ＵＢ２はイアリングの収納に必要なスペースを、そして、ＵＣ１、ＵＣ２はネックレスの収納に必要なスペースを類型化した基本収納ユニットである。この基本収納ユニットは、予め定められた幅（Ｗ）、長さ（Ｌ）、および、高さ（Ｈ）を有しているが、図２の例では、高さ（Ｈ）は全て同じものとしている。このような基本収納ユニットに、それぞれを識別する識別コードを付与する。そして、これらの基本収納ユニットの少なくとも識別コードと形状、及び、サイズの情報を集めて基礎情報１１ａとし、センターサーバ１１に、この基礎情報１１ａを備えさせる。尚、基本収納ユニットとしては、１個のアクセサリーの収納に必要な収納空間を類型化して形成したもののみならず、複数個のアクセサリーの収納に必要な収納空間を類型化して形成したものも使用することができる。
【０００８】
図５は、このアクセサリーケース電子オーダ方法の動作を示したフローチャートである。図５において、ユーザ端末１２が、センターサーバ１１にアクセスして基礎情報１１ａを取得し、これをユーザ端末１２に表示するとともに（Ｓ１）、表示された基礎情報１１ａを用いて、ユーザ１４がその有するアクセサリーの個々のサイズに適合する基本収納ユニットを選択して（Ｓ２）、少なくともその基本収納ユニットの識別コードとその識別コード毎の個数とでなる個別仕様情報をユーザ端末１２に入力すると（Ｓ３）、この個別仕様情報をユーザ端末１２がセンターサーバ１１に提供することにより（Ｓ４）、センターサーバ１１がユーザ用のアクセサリーケースの製作に必要な情報を取得して外部に出力する（Ｓ５）。この方法は、このような特徴を有している。
【０００９】
上記のアクセサリーケース電子オーダ方法において、複数個のアクセサリーの収納に必要な収納空間を類型化して形成した少なくとも一部の基本収納ユニットに対して、この収納空間を分割する仕切を設けるとともに、その仕切の少なくとも、形状、及び、サイズを、基礎情報に含ませることも実用的な方法である。図３に示す、（ａ）、（ｂ）、（ｃ）は、このような基本収納ユニットの例を示したものである。
【００１０】
また、上記のアクセサリーケース電子オーダ方法において、基本収納ユニット内に、或は、基本収納ユニットの仕切内に、着脱可能に内設して用いられ、基本収納ユニットに収納されるアクセサリーを固定して保持する単または複数種類のパッドの、少なくとも、識別コード、及び、形状を、基礎情報に含ませて、ユーザがこの基礎情報を用いてパッドを選択可能とするとともに、ユーザがこのパッドを選択した場合に、ユーザがユーザ端末に入力する、このパッドの少なくとも識別コードとその識別コード毎の個数とを、個別仕様情報に含めるようにしてもよい。
【００１１】
また、上記の各アクセサリーケース電子オーダ方法において、ユーザ端末が、基礎情報に含まれている基本収納ユニットの形状と、仕切の形状やパッドの形状が基礎情報に含まれている場合は、これらを合わせて、原寸大で印刷することが好ましい。この場合、図５において、Ｓ１とＳ２との間は、実線部分に代えて、点線で示したようなフローとなり、Ｓ１の実行に続いて、Ｓ１とＳ２との間に挿入されたＳ６を実行し、その後Ｓ２を実行する。
【００１２】
次に、本発明のアクセサリーケース電子オーダシステムについて説明する。図６は、このシステムの構成を示したものである。
図６において、本発明のアクセサリーケース電子オーダシステムは、アクセサリーケースをオーダするユーザにより操作されるユーザ端末２２が、このオーダを受けるセンターサーバ２１と、インターネット２３を介して接続されている。
そして、センターサーバ２１は、１個または複数個のアクセサリーの収納に必要な収納空間を類型化して形成した、形状、または、サイズ、或は、その双方が互いに異なる複数の基本収納ユニットの中から、一つを用いて、或は、二つ以上を組み合わせてその内部が構成されるアクセサリーケースの、その構成要素である基本収納ユニットの、少なくとも、識別コード、形状、及び、サイズを集積した情報である基礎情報を保持する基礎情報保持手段２１ａと、ユーザ端末２２から、ユーザ用のアクセサリーケースの製作に必要な情報である個別仕様情報を取得してこれを外部に出力するする個別仕様情報取得手段２１ｂとを備えている。
また、ユーザ端末２２は、センターサーバ２１にアクセスして基礎情報を取得し、ユーザ端末２２に表示する基礎情報取得手段２２ａと、表示された基礎情報を用いて、ユーザがその有するアクセサリーの個々のサイズに適合する基本収納ユニットを選択して、少なくとも、その基本収納ユニットの識別コードとその識別コード毎の個数とでなる個別仕様情報を入力する入力手段２２ｂと、入力された個別仕様情報をセンターサーバに提供する提供手段２２ｃとを備えてなることを特徴としている。
【００１３】
上記のアクセサリーケース電子オーダシステムにおいて、複数個のアクセサリーの収納に必要な収納空間を類型化して形成した少なくとも一部の基本収納ユニットに対して、この収納空間を分割する仕切を設けるとともに、その仕切の少なくとも、形状、及び、サイズを、センターサーバの基礎情報保持手段が保持する基礎情報に含ませることも実用的な方法である。
【００１４】
また、上記のアクセサリーケース電子オーダシステムにおいて、基本収納ユニット内に、或は、基本収納ユニットの仕切内に、着脱可能に内設して用いられ、基本収納ユニットに収納されるアクセサリーを固定して保持する単または複数種類のパッドの、少なくとも、識別コード、及び、形状を、基礎情報保持手段が保持する基礎情報に含ませて、ユーザがこの基礎情報を用いてパッドを選択可能とするとともに、ユーザがこのパッドを選択した場合に、ユーザがユーザ端末に入力する、このパッドの少なくとも識別コードとその識別コード毎の個数とを、個別仕様情報に含めるようにしてもよい。
【００１５】
また、上記のアクセサリーケース電子オーダシステムにおいて、上記のアクセサリーケース電子オーダ方法と同様、ユーザの基本収納ユニットの選択作業を支援するために、ユーザ端末が、基礎情報に含まれている基本収納ユニットの形状と、仕切の形状やパッドの形状が基礎情報に含まれている場合は、これらを合わせて、原寸大で印刷する、図６に示す印刷手段２２ｄを備えるようにすることが好ましい。
【００１６】
また、上記のアクセサリーケース電子オーダシステムにおいて、アクセサリーケースの内部の構成を作成する内部構成作成プログラムを有しており、個別仕様情報取得手段が取得した個別仕様情報に基づき、上記のプログラムにより、アクセサリーケースの内部の構成を作成して、個別仕様情報とともに外部に出力する内部構成作成手段を、センターサーバに備えるようにしてもよい。
【００１７】
上記では、アクセサリーケース電子オーダ方法及びそのシステムについて説明したが、アクセサリーケースの内部を、類型化した複数の基本収納ユニットの中から、ユーザの選択した基本収納ユニットを組合せて構成する仕組は、店舗におけるアクセサリーケースのオーダーメイド販売にも使用が可能である。次に、このような用途に使用される本発明のアクセサリーケース電子オーダ装置について説明する。図７は、このアクセサリーケース電子オーダ装置の構成を示したものである。
図７において、本発明のアクセサリーケース電子オーダ装置３１は、１個または複数個のアクセサリーの収納に必要な収納空間を類型化して形成した、形状、または、サイズ、或は、その双方が互いに異なる複数の基本収納ユニットの中から、一つを用いて、或は、二つ以上を組み合わせてその内部が構成されるアクセサリーケースの、その構成要素である基本収納ユニットの、少なくとも、識別コード、形状、及び、サイズを集積した情報である基礎情報を保持する基礎情報保持手段３１ａと、基礎情報を表示する基礎情報表示手段３１ｂと、表示された基礎情報を用いて、ユーザがその有するアクセサリーの個々のサイズに適合する基本収納ユニットを選択して、少なくとも、その基本収納ユニットの識別コードとその識別コード毎の個数とでなる個別仕様情報を入力する入力手段３１ｃと、個別仕様情報を外部に出力する出力手段３１ｄと、でなることを特徴としている。
【００１８】
上記のアクセサリーケース電子オーダ装置において、複数個のアクセサリーの収納に必要な収納空間を類型化して形成した少なくとも一部の基本収納ユニットに対して、この収納空間を分割する仕切を設けるとともに、その仕切の少なくとも、形状、及び、サイズを、基礎情報保持手段が保持する基礎情報に含ませることも実用的な方法である。
【００１９】
また、上記のアクセサリーケース電子オーダ装置において、基本収納ユニット内に、或は、基本収納ユニットの仕切内に、着脱可能に内設して用いられ、基本収納ユニットに収納されるアクセサリーを固定して保持する単または複数種類のパッドの、少なくとも、識別コード、及び、形状を、基礎情報保持手段が保持する基礎情報に含ませて、ユーザがこの基礎情報を用いてパッドを選択可能とするとともに、ユーザがこのパッドを選択した場合に、ユーザが入力手段により入力するこのパッドの、少なくとも識別コードとその識別コード毎の個数とを、個別仕様情報に含めるようにしてもよい。
【００２０】
また、上記のアクセサリーケース電子オーダ装置において、ユーザの基本収納ユニットの選択作業を支援するために、基礎情報に含まれている基本収納ユニットの形状と、仕切の形状やパッドの形状が基礎情報に含まれている場合は、これらを合わせて、原寸大で印刷する、図７に示す印刷手段３１ｅを備えることが好ましい。
【００２１】
また、上記のアクセサリーケース電子オーダ装置において、アクセサリーケースの内部の構成を作成する内部構成作成プログラムを有しており、入力手段により入力された個別仕様情報に基づき、上記のプログラムにより、アクセサリーケースの内部の構成を作成して外部に出力する内部構成作成手段を備えるようにしても良い。
【００２２】
【発明の実施の形態】
次に本発明の実施例につき、図面に基づき詳しく説明する。図８は、第１実施例のアクセサリーケース電子オーダシステムに用いられるシステムの構成図である。図８において、この第１実施例のアクセサリーケース電子オーダシステムは、受注センタ４１に備えられたセンターサーバ４２とユーザの使用するユーザ端末４４とがインターネット４６に接続されて構成されている。また、センターサーバ４２には、サーバ用プリンタ４３が、ユーザ端末４４には、ユーザ用プリンタ４５がそれぞれ備えられている。
センターサーバ４２は、インターネット上でアクセサリーケースのオーダを受けるための主体となるサーバであり、Ｗｅｂサーバとして必要なハードウェア、ソフトウェアを備えている。ユーザ端末４４は、ユーザがアクセサリーケースをオーダするのに用いられ、キーボードやディスプレイ等の入出力用機器やセンターサーバ４２へのアクセス等に必要なハードウェア、及び、ブラウザ等のソフトウェアを備えている。
【００２３】
このシステムの取引の対象となるアクセサリーケースは、前述の通り、オーダーメイドのアクセサリーケースであり、女性等のユーザが、自らの保有している種類や数量のアクセサリーを収容可能とするようなアクセサリーケースである。アクセサリーは、一般に、１個のアクセサリーを収納するのに必要な収納空間のサイズは、それぞれのアクセサリーのカテゴリー毎に何種類かに類型化することができ、このシステムのオーダの対象のアクセサリーケースは、その内部を、この類型化した複数種類の基本収納ユニットの中から、ユーザの選択した基本収納ユニットを組合せて構成する仕組としている。この実施例では、この各基本収納ユニットには、ＩＤコードが付与されており、この各基本収納ユニットの形状とサイズがＩＤコードとともに、基礎データとしてユーザに提供される。
【００２４】
図９は、この第１実施例のアクセサリーケース電子オーダシステムのＷｅｂサーバであるセンターサーバ４２の構成を示した説明図である。図９において、このＷｅｂサーバは、メニューページ５１の下に、この実施例のアクセサリーケース電子オーダシステムの仕組を説明した仕組説明ページ５２、このアクセサリーケース電子オーダシステムをユーザが利用する場合に、このユーザに関するデータを入力するためのユーザデータ入力ページ５３、アクセサリーのカテゴリー毎に類型化された基本収納ユニットのＩＤコードや形状、サイズ等のデータを含む、アクセサリーケースの製作に必要な上述した基礎データを表示するための基礎データ表示ページ５４、ユーザが望むアクセサリーケースの製作に必要な、基本収納ユニットのＩＤコードやその個数等の個別仕様データを入力するための個別仕様データ入力ページ５５、ユーザの入力した個別仕様データに基づいて自動的に作成された内部構成を表示するための内部構成結果表示ページ５６、ユーザの承認を入力するためのユーザ承認入力ページ５７、及び、ユーザの承認に基づき電子商取引成立を表示する電子商取引成立表示ページ５８を設けている。このほか、ユーザデータベース５９、上記の基礎データを有する基礎データベース６０、基本収納ユニットの組合せ用パターンデータベース６１、アクセサリーケース内部構成作成プログラム６２、及び内部構成印刷プログラム６３が設けられており、これらが、図９に示すように各ページと結合している。
【００２５】
次に、上記の第１実施例のアクセサリーケース電子オーダシステムの動作について説明する。ユーザの指示により、ユーザ端末４４が、Ｗｅｂサーバであるセンターサーバ４２にアクセスして、Ｗｅｂサーバの有する情報を取得し、これをユーザ端末４４が表示することにより、ユーザは、その内容を知ることができる。そして、ユーザがセンターサーバ４２へ情報を提供する場合は、センターサーバ４２から取得した情報の入力ページにユーザ端末４４で情報を入力した後、ユーザ端末４４がセンターサーバ４２へこの情報を送信することにより、提供される。
ユーザは、メニューページ５１により、このＷｅｂサイトの全体について知ることができ、そして、仕組説明ページ５２により、この実施例のアクセサリーケース電子オーダシステムを利用して行うアクセサリーケースのオーダ方法について知ることができる。その上で、ユーザが実際にオーダする場合の手順を示したのが、図１０のフローチャートである。
【００２６】
図１０において、まず、ユーザは、ユーザデータ入力ページ５３に入力して、ユーザの住所や氏名、電話番号、電子メールアドレス等を登録する（Ｓ２０）。この内容は、ユーザデータベース５９に記録される。
次に、基礎データ表示ページ５４を参照しながら、当該アクセサリーケースの製作に必要なデータである個別仕様データを、個別仕様データ入力ページ５５に入力する。これらの基礎データ表示ページ５４と個別仕様データ入力ページ５５は、関連する仕様のページ同士が、同一画面に同時に表示される仕組になっている。即ち、一つの画面を水平線のフレームで仕切り、上側を基礎データ表示画面７１として用い、ここに、基礎データ表示ページ５４を配置する。そして、下側を個別仕様データ入力画面７２として用い、ここに、個別仕様データ入力ページ５５を配置する。（後述の説明に使用される図１１を参照）。この内、基礎データ表示ページ５４に表示されるデータは、基礎データベース６０に収容されているデータが用いられる（このデータには基本収納ユニットに関するデータも含まれている）。
【００２７】
この個別仕様データ入力の項目としては、まず、アクセサリーケースの外形形状及び構造が上げられるが、この実施例では、図１に示した外観図で示される外形と構造を有するアクセサリーケースのみを対象としている。そこで、基礎データ表示ページ５４の最初の部分には、図１のアクセサリーケースの外観図が表示され（Ｓ２１）、ユーザはこれを確認して次に進む。次に、ユーザは個別仕様データ入力の項目として、アクセサリーケースの外形寸法の内、縦寸法に関する入力を行う。これは、基礎データ表示ページ５４に表示された縦寸法の中から選択する（Ｓ２２）。同様にして、横寸法と高さ寸法の項目についても、基礎データ表示ページ５４に表示された中から選択する（Ｓ２３、Ｓ２４）。高さ寸法に代えて段数を選択するようにしてもよい（Ｓ２４）。外形寸法の選択が終了すると、次に外装材の項目に関する選択を行う（Ｓ２５）。例えば、木製、皮製、フェルト製などの中から選択する。これらの外装材で色の指定が可能な場合は、次にこの外装色に関する選択を行う（Ｓ２６）。内装に関する項目についても、同様に、内装材の選択や、その色の選択を行う（Ｓ２７、Ｓ２８）。
【００２８】
これらの選択が終了すると、次に、基本収納ユニットのＩＤコードと個数の入力を行う（Ｓ２９）。図１１は、この際の表示画面である基礎データ表示画面７１と個別仕様データ入力画面７２の例を示したものである。図１１から分かるように、基本収納ユニットは、そのサイズの寸法と形状のグラフィックを伴って表示されるので、非常にわかりやすい表示となっている。ユーザは、このわかりやすい基本収納ユニットの表示を見ながら、アクセサリーケースに収納を予定するアクセサリーの個々のサイズに基づいて、最適な基本収納ユニットを選択するとともに、基本収納ユニット毎の個数を決定し、選択した基本収納ユニットのＩＤコードとその個数を入力する。例えば、図１１の基本収納ユニットの表示において、Ｕ１１、Ｕ１２、Ｕ２１、Ｕ２２、Ｕ２３は、指輪用またはイヤリング用、Ｕ３１、Ｕ３２、Ｕ３３はネックレス用を表しており、ユーザは、例えば、個別仕様データ入力画面７２の基本収納ユニットＮｏの欄に「Ｕ１１」、個数の欄に「１６」のように入力する。この入力に際して、ユーザの選択により（Ｓ３０）、基礎データ表示画面７１に表示されている基本収納ユニットのグラフィック図を、原寸大で、ユーザ端末４４に備えられたユーザ用プリンタ４５を用いて印刷することもできる（Ｓ３８）。この原寸大で印刷する方法としては、試刷をして、原寸大で印刷できるようにユーザに印刷出力の調整を行なわせた上で印刷する等の方法が考えられる。この印刷された基本収納ユニットのグラフィック図は、原寸大であるため、ユーザは、実際にそのアクセサリーをこの図の上に置いて見ることにより、容易に基本収納ユニットの選択をすることができる。
【００２９】
上記のようにして基本収納ユニットのＩＤコードと個数の入力が終了すると（Ｓ３１）、センターサーバ４２のアクセサリーケース内部構成作成プログラム６２が、ユーザの入力した個別仕様データに基づいて、組合せ用パターンデータベース６１を参照しながらアクセサリーケースの内部構成を自動的に作成する（Ｓ３２）。例えば、アクセサリーケースの外形寸法の縦寸法と横寸法を特定の寸法に固定し、この固定寸法の範囲で、各基本収納ユニット相互間でそれぞれの基本収納ユニットの１個または複数個を組み合せたもの同士が、置換可能なそれぞれの基本収納ユニットの個数を、組み合せ用パターンデータベース６１に登録しておく。具体的には、例えば、図１１において、Ｕ０１１は、縦１５ｍｍ、横１５ｍｍであり、Ｕ０３１は、縦１５０ｍｍ、横１５ｍｍであるから、Ｕ０１１が１０個とＵ０３１が１個とは、相互に置換可能であり、このことを、組み合せ用パターンデータベース６１に登録しておき、他の基本収納ユニット相互間でも、同様の登録をしておく。そして、ユーザが入力したＩＤコードの基本収納ユニットの中で、縦寸法と横寸法の最も小さい最小基本収納ユニットを、アクセサリーケースの１つの段の全面に一旦配置した後、ユーザの指定した個数以外の余分に配置した部分を、縦寸法と横寸法が次に小さいユーザ指定の基本収納ユニットに置き換えて配置する。この際、余分に配置した部分がこの次に小さい基本収納ユニットで置き換えできないスペースとなると、そこは最小基本収納ユニットを余分に用いて穴埋めする。このようにして以下同様に、アクセサリーケースの内部の構成を、アクセサリーケース内部構成作成プログラム６２が行なう。アクセサリーケースの外形寸法として、縦寸法と横寸法の組み合せを複数設定した場合は、これらのそれぞれに対して、各基本収納ユニット相互間で置換可能な上記のデータを、組み合せ用パターンデータベース６１に登録することで、対応可能である。
【００３０】
このようにしてアクセサリーケースの内部構成を作成する場合に、ユーザが入力した個別仕様データの、基本収納ユニットのＩＤコードとその個数から必要になるアクセサリーケースのスペースが、同じ個別仕様データに含まれるユーザの選択したアクセサリーケースの外形寸法から得られるスペースに、必ずしも収まるとは限らない。そこで、この収まるか否かの判断を通じて、アクセサリーケースの内部の構成をユーザの要求どおりに構成することが可能か否かを判断し（Ｓ３３）、可能であれば、自動的に作成された内部構成を内部構成結果表示ページ５６で表示する（Ｓ３４）。Ｓ３３で構成が可能でない場合は、アクセサリーケースを、ユーザの要求に沿った内部構成とすることは不可能なので、この旨表示をして、最初からやり直すことになる（Ｓ３９）。
【００３１】
このようにして、作成したアクセサリーケースの内部構成に対して、ユーザがこれを承認する場合は、ユーザ承認入力ページ５７にユーザ承認を入力すると（Ｓ３５）、電子商取引成立表示ページ５８に電子商取引成立を表示するとともに（Ｓ３６）、内部構成印刷プログラム６３によりセンターサーバ４２の備えているサーバ用プリンタ４３を用いて、個別仕様データ及び製作指示書とともにアクセサリーケースの内部構成を印刷する（Ｓ３７）。受注センタ４１はこれらの印刷出力を、製作部門に提供することにより、ユーザが要求するアクセサリーケースの製作を指示する。ユーザが承認しない場合は（Ｓ３５）電子商取引成立表示ページ５８に電子商取引不成立を表示して（Ｓ４０）終了する。
【００３２】
上記の第１実施例では、上述したように、ユーザが入力した個別仕様データの、基本収納ユニットのＩＤコードとその個数から必要になるアクセサリーケースの内部のスペースが、同じ個別仕様データに含まれるユーザの選択したアクセサリーケースの外形寸法から得られるスペースに、必ずしも収まるとは限らないし、逆に、余裕が出る場合もある。この余裕が出た場合は、余裕となったスペースを、フリースペースとして、自動的に構成するようにしてもよい。しかし、収まらない場合には、最初からやり直しを行う必要があり、面倒なことになる。そこで、個別仕様データの入力において、アクセサリーケースの外形寸法の選択の際、縦寸法、横寸法及び高さ寸法のディメンションの中から優先させる２つのディメンション、例えば、縦寸法と横寸法を選んで入力するようにしてもよい。この場合は、アクセサリーケース内部構成作成プログラム６２が、内部構成を作成する際、残り１つのディメンションの寸法を決定して内部構成とともに表示する。
【００３３】
上記の第１実施例では、図１０のフローチャートに示すように、個別仕様データ入力の項目として、最初にアクセサリーケースの外形寸法を入力し、その後、基本収納ユニットのＩＤコードと個数の入力を行っているが、最初に、基本収納ユニットのＩＤコードと個数の入力を行い、その後、アクセサリーケースの外形寸法を入力するようにしてもよい。この方法を用いると、先に入力された基本収納ユニットのＩＤコードとその個数から、必要なアクセサリーケースの内部のスペースがわかり、この内部スペースを確保できるアクセサリーケースの外形寸法を、ユーザに対して表示することが可能となるので、ユーザのオーダ手順を合理的に進めることができる。
【００３４】
また、上記の第１実施例では、センターサーバ４２のアクセサリーケース内部構成作成プログラム６２が、ユーザの入力した個別仕様データに基づいて、組合せ用パターンデータ６１を参照しながらアクセサリーケースの内部構成を自動的に作成しているが、ユーザの入力した個別仕様データをサーバ用プリンタ４３を用いて印刷する等して一旦出力した後、この個別仕様データに基づいて、アクセサリーケースの内部構成を、受注センタの担当者が作成するシステムも考えられる。この場合は、作成された内部構成は、担当者が内部構成結果表示ページ５６に入力することにより表示される。
【００３５】
また、上記の第１実施例では、アクセサリーケースの外形形状及び構造については、図１で示される１種類のみとしている。しかしこれには限られず、複数種類の中から選択するようにしてもよく、例えば、全ての収納スペースを引き出しタイプとした構造のアクセサリーケースを選択の中に加えてもよい。
また、上記の第１実施例では、個別仕様データの項目として、外形形状及び構造以外に、外形寸法、外装材、外装の色、内装材、及び内装の色を用いているが、これ以外に、その他の項目を加えるようにしてもよく、例えば、上蓋を透明にするか否かの選択を加える等の方法が考えられる。
【００３６】
上記の第１実施例では、基本収納ユニットとして、図１１に示すような、アクセサリー１個分のスペースを用いているが、複数個のアクセサリーの収納に必要な収納空間を類型化して形成した基本収納ユニットを用いてもよい。例えば、図１に示すアクセサリーケースの上段、中段または下段等の内部空間全体を一つの基本収納ユニットとし、その内部空間を、図１２のＣＵ００１、ＣＵ０１０、ＣＵ０２５、或は、ＣＵ０６３に示すように分割する仕切を設けて、複数のアクセサリーを収納できる一つの基本収納ユニットとする等である。この場合は、１個のアクセサリーの収納に必要な収納空間を類型化して形成した基本収納ユニットを用いる場合に比べて、基本収納ユニットの組合せ方の数を大幅に減らすことができ、アクセサリーケースの内部の構成の作成作業を容易化することができる。
【００３７】
上記の第１実施例では、基本収納ユニットを組み合せたアクセサリーケースを対象としている。この基本収納ユニットは、アクセサリーを収納する空間であり、基本的には、立方体状、或は、直方体状の空間であるため、アクセサリーケースを持ち運んだりする等の際に、この空間に収納されたアクセサリーが、この収納空間内で動く場合があり、例えば、真珠のイヤリング等では傷がついたり、チェーン付のネックレス等では、チェーンがからまったりする恐れもあり得る。そこで、これを防止するため、基本収納ユニット内に着脱可能に内設して使用するパッドが一般に用いられる。基本収納ユニットに収納されるアクセサリーは、このパッドにより固定して保持される。このパッドを、第１実施例のアクセサリーケース電子オーダシステムの、オーダ対象のアクセサリーケースに使用するようにしてもよい。その場合、例えば、これらの各種パッドにＩＤコードを付与するとともに、各種パッドのＩＤコードとグラフィックで表された形状のデータとを基礎データベース６１に含ませるとともに、これらの表示と、これらのパッドをユーザが選択した場合の入力を行なうためのページを用意しておく。そして、ユーザが基本収納ユニットの選択をした際に、その基本収納ユニットに適合するパッドを表示するとともに、これらのパッドをユーザが選択する場合は、そのＩＤコードとＩＤコード毎の個数の入力をユーザが行なう。図１３は、このようなパッドに関するデータの表示を行なう基礎データ表示画面７３と、このパッドを選択した場合に、入力を行なう個別仕様データ入力画面７４とを示したものである。入力した後の処理は、基本収納ユニットと同様に行なう。ただし、これらのパッドに関する個別仕様データは、アクセサリーケースの内部の構成の作成には、直接かかわらず、指定されたパッドをアクセサリーケースに用いられた基本収納ユニットに内設したり添付したりするのに用いられる。
【００３８】
上記の第１実施例のアクセサリーケース電子オーダシステムによれば、ユーザが基本収納ユニットの表示を見ながら、収納を予定するアクセサリーの個々のサイズに基づいて最適な基本収納ユニットを選んで、この基本収納ユニットのＩＤコードと必要な個数を入力するだけで、アクセサリーケース内部構成を作成し、このアクセサリーケース内部構成に基づいて当該ユーザ用のアクセサリーケースを製作することができる。従って、女性等のユーザが、自らの保有している種類や数量のアクセサリーを収容可能なアクセサリーケースの、仕様の決定が容易なアクセサリーケース電子オーダシステムを提供することができる。
また、このアクセサリーケース電子オーダシステムでオーダできるアクセサリーケースは、基本収納ユニット内に着脱可能に内設できるとともに、アクセサリーを固定して保持するパッドを用いることができるので、収納されたアクセサリーに傷がつかないようにすることができる。
【００３９】
上記の第１実施例では、アクセサリーケース電子オーダシステムについて説明したが、アクセサリーケースの内部を、類型化した複数の基本収納ユニットの中から、ユーザの選択した基本収納ユニットを必要数組合せて構成する仕組は、店舗におけるアクセサリーケースのオーダーメイド販売にも使用が可能である。次に、このような用途に使用される第２実施例のアクセサリーケース電子オーダ装置について説明する。
【００４０】
図１４は、この第２実施例のアクセサリーケース電子オーダ装置の構成を示したものである。図１４において、このアクセサリーケース電子オーダ装置は、メモリ８１、ＣＰＵ８２、入力制御回路８３、出力制御回路８４、キーボード８５、マウス８６、ＣＲＴディスプレイ８７、及び、プリンタ８８で構成されている。また、メモリ８１には、基礎データベース９１、組合せ用パターンデータベース９２、及び、処理プログラム９３が格納されている。
【００４１】
図１５は、この第２実施例のアクセサリーケース電子オーダ装置の動作を示したフローチャートである。このフローチャートは、上述のアクセサリーケース電子オーダシステムの実施例のフローチャートとほぼ同じであるが、商取引そのものを目的としていないので、商取引そのものに関する部分が削除されている。図１５において、まず、ＣＲＴディスプレイ８７に、上述のアクセサリーケース電子オーダシステムの実施例と同様に、図１のアクセサリーケースの外観図が表示され（Ｓ５０）、ユーザはこれを確認して次に進む。次に、ユーザは個別仕様データ入力の項目として、アクセサリーケースの外形寸法の内、縦寸法に関する入力を行うが、基礎データとして、ＣＲＴディスプレイ８７に表示された縦寸法の中から選択する（Ｓ５１）。この基礎データは、メモリ８１に収容されている基礎データベース９１のデータが用いられ、このデータには基本収納ユニットに関するデータも含まれている。この場合の表示も、ＣＲＴディスプレイ８７に、上述の第１実施例のアクセサリーケース電子オーダシステムにおける表示と同じ表示、即ち、図１１や図１２に示すような、同一画面を水平線のフレームで仕切り、その上下に基礎データ表示ページ５４の表示画面である基礎データ表示画面７１と、個別仕様データ入力ページ５５の表示画面である個別仕様データ入力画面７２とを配置したのと同様の画面が表示され、ユーザはこの画面を介して個別仕様データを入力する。同様にして、横寸法と高さ寸法、外装材、外装色、内装材、及び、内装色について入力する（Ｓ５２〜Ｓ５７）。
【００４２】
これらの選択が終了すると、次に、基本収納ユニットの選択とそのＩＤコード及び個数の入力を行う（Ｓ５８）。この場合も、メモリ８１に格納されている基礎データベース９１を基にした基礎データの表示画面が、個別仕様データ入力画面とともに、上述の第１実施例のアクセサリーケース電子オーダシステムと同様にして、ＣＲＴディスプレイ８７に表示される。ユーザは、この基本収納ユニットの表示を見ながら、アクセサリーケースに収納を予定するアクセサリーの個々のサイズに基づいて、最適な基本収納ユニットを選択するとともに、基本収納ユニット毎の個数を決定し、選択した基本収納ユニットのＩＤコードとその個数を入力する。この入力に際して、ユーザの選択により（Ｓ５９）、基礎データとして表示されている基本収納ユニットのグラフィック図を、原寸大で、プリンタ８８を用いて、印刷することもできる（Ｓ６６）。この印刷された基本収納ユニットのグラフィック図は、原寸大であるため、上述のアクセサリーケース電子オーダシステムの実施例と同様に、ユーザは、実際にアクセサリーケースに収納を予定するアクセサリーをこの図の上に置いてみることにより、容易に基本収納ユニットのＩＤコードを決定することができる。
【００４３】
上記のようにして基本収納ユニットの入力が終了すると（Ｓ６０）、メモリ８１に搭載された処理プログラム９３が、ユーザの入力した個別仕様データに基づいて、メモリ８１に搭載された組合せ用パターンデータベース９２を参照しながら、上記の第１実施例と同様に、アクセサリーケースの内部構成を自動的に作成し（Ｓ６１）、アクセサリーケースの内部の構成をユーザの要求どおりに構成することが可能か否かを判断し（Ｓ６２）、可能であれば、自動的に作成された内部構成をＣＲＴディスプレイ８７で表示する（Ｓ６３）。構成が可能でない場合は、この旨表示をして、最初からやり直すことになる（Ｓ６７）。このようにして、内部構成を表示した結果、ユーザがこれを承認する場合は、キーボード８５やマウス８６を用いてユーザ承認を入力すると（Ｓ６４）、プリンタ８８を用いて個別仕様データとともに内部構成を印刷する（Ｓ６５）。この印刷出力を、製作部門に提供することにより、ユーザが要求するアクセサリーケースの製作が行われる。ユーザが承認しない場合は（Ｓ６４）、印刷なしで終了する。
【００４４】
上記の第２実施例のアクセサリーケース電子オーダ装置においても、上述の第１実施例のアクセサリーケース電子オーダシステムで述べた、アクセサリーケースの外形寸法の選択の際の、縦寸法、横寸法及び高さ寸法のディメンションの中から優先させる２つのディメンションを選んで入力する方法や、個別仕様データの項目の種類、或は、入力の順序を、先に、基本収納ユニットのＩＤコードと個数の入力を行い、その後、アクセサリーケースの外形寸法を入力する点等に関して、同様に適用できる。また、基本収納ユニットとして、複数個のアクセサリーの収納に必要な収納空間を類型化して形成した基本収納ユニットを用いてもよい。
【００４５】
また、上記の第２実施例では、メモリ８１に搭載された処理プログラム９３が、ユーザの入力した個別仕様データに基づいて、メモリ８１に搭載された組合せ用パターンデータベース９２を参照しながらアクセサリーケースの内部構成を自動的に作成しているが、ユーザの入力した個別仕様データをプリンタ８８を用いて印刷する等して出力した後、この個別仕様データに基づいて、アクセサリーケースの内部構成を、担当者が作成するシステムも考えられる。
【００４６】
上記の第２実施例のアクセサリーケース電子オーダ装置によれば、ユーザが基本収納ユニットの表示を見ながら、収納を予定するアクセサリーの個々のサイズに基づいて基本収納ユニットのＩＤコードと必要な個数を入力するだけで、アクセサリーケース内部構成を作成することができる。従って、女性等のユーザが、自らの保有している種類や数量のアクセサリーを収容可能なアクセサリーケースの、仕様の決定が容易なアクセサリーケース電子オーダ装置を提供することができる。
【００４７】
また、上記の第２実施例のアクセサリーケース電子オーダ装置は、店舗における一般ユーザに対するアクセサリーケースのオーダーメイド販売に使用できるのみならず、宝石商が訪問販売する際に用いる、携帯用の宝石収納トランク等の、内部構成を決定、作成するのに用いることもできる。
【００４８】
また、上記の第２実施例のアクセサリーケース電子オーダ装置の機能を、コンピュータで実現するプログラムも考えられる。このようなプログラムを、店頭に設置したパソコン等にインストールすることにより、上記と同様の状況を実現できる。また、このプログラムを記録したＣＤ等の記録媒体も製作できる。この記録媒体を使用することにより、パソコン等へのインストールを容易に行うことができる。
【００４９】
また、この発明は、適用対象を、アクセサリーを収納するアクセサリーケースにしているが、１個のものを収納するのに必要な収納空間のサイズが、それぞれのもののカテゴリー毎に何種類かに類型化することができるものであれば、そのものの収納ケースに対しても本発明の原理を適用することができる。
【００５０】
【発明の効果】
請求項１または５記載の発明によれば、ユーザが基本収納ユニットの表示を見ながら、収納を予定するアクセサリーの個々のサイズに基づいて最適な基本収納ユニットを選んで、この基本収納ユニットのＩＤコードと必要な個数を入力するだけで、アクセサリーケースの仕様を決めることができ、従がって、女性等のユーザが、従来の方法に比べて時間も費用も少なくて済み、仕様の決定も容易なアクセサリーケース電子オーダ方法、またはそのシステムを提供することができる。また、システムにインターネットを用いており、インターネットに接続すれば誰でも容易に利用できるシステムであることから、ユーザと製造メーカとの直接取引が容易に行なえるアクセサリーケース電子オーダ方法、またはそのシステムを提供することができる。
【００５１】
請求項２、６または１１記載の発明によれば、複数個のアクセサリーの収納に必要な収納空間を類型化して形成した基本収納ユニットを用いることができるので、１個のアクセサリーの収納に必要な収納空間を類型化して形成した基本収納ユニットを用いる場合に比べて、基本収納ユニットの組合せ方の数を大幅に減らすことができ、アクセサリーケースの内部の構成の作成作業を容易化することができる。
【００５２】
請求項３、７または１２記載の発明によれば、基本収納ユニット内に着脱可能に内設できるとともに、アクセサリーを固定して保持するパッドを用いることができるので、収納されたアクセサリーに傷がついたり、チェーン等を有するアクセサリーのチェーン等がからまったりするのを防ぐことができる。
【００５３】
請求項４、８または１３記載の発明によれば、ユーザは、原寸大で紙に印刷された基本収納ユニットの形状図に、収納を予定するアクセサリーを実際に置いてみることができるので、ユーザの基本収納ユニットの選択作業を容易化することができる。
【００５４】
請求項９または１４記載の発明によれば、アクセサリーケースの内部の構成の作成を自動的に行なうことができる。
【００５５】
請求項１０記載の発明によれば、ユーザが基本収納ユニットの表示を見ながら、収納を予定するアクセサリーの個々のサイズに基づいて最適な基本収納ユニットを選んで、この基本収納ユニットのＩＤコードと必要な個数を入力するだけで、アクセサリーケースの仕様を決めることができ、従がって、仕様の決定が容易なアクセサリーケース電子オーダ装置を提供することができる。
【図面の簡単な説明】
【図１】アクセサリーケースの例の外観を示した図である。
【図２】基本収納ユニットの例を示した図である。
【図３】複数個のアクセサリーの収納を対象とするとともに内部に仕切りを設けた基本収納ユニットの例を示した図である。
【図４】本発明のアクセサリーケース電子オーダ方法に使用されるシステムの構成を示した図である。
【図５】本発明のアクセサリーケース電子オーダ方法の動作を示したフローチャートである。
【図６】本発明のアクセサリーケース電子オーダシステムの構成を示した図である。
【図７】本発明のアクセサリーケース電子オーダ装置の構成を示した図である。
【図８】第１実施例のアクセサリーケース電子オーダシステムの構成を示した図である。
【図９】第１実施例のアクセサリーケース電子オーダシステムのセンターサーバの構成を示した図である。
【図１０】第１実施例のアクセサリーケース電子オーダシステムの動作を示したフローチャートである。
【図１１】第１実施例のアクセサリーケース電子オーダシステムの基礎データの表示画面及び個別仕様データの入力画面の例を示した図である。
【図１２】第１実施例のアクセサリーケース電子オーダシステムの基礎データの表示画面及び個別仕様データの入力画面の他の例を示した図である。
【図１３】第１実施例のアクセサリーケース電子オーダシステムのパッドに関する基礎データの表示画面及び個別仕様データの入力画面の例を示した図である。
【図１４】第２実施例のアクセサリーケース電子オーダ装置の構成を示した図である。
【図１５】第２実施例のアクセサリーケース電子オーダ装置の動作を示したフローチャートである。
【符号の説明】
１　　アクセサリーケース
２　　上蓋
３　　上段
４　　中段
５　　下段
１１　　センターサーバ
１１ａ　基礎情報
１２　　ユーザ端末
１３　　ネットワーク
１４　　ユーザ
２１　　センターサーバ
２１ａ　基礎情報保持手段
２１ｂ　個別仕様情報取得手段
２２　　ユーザ端末
２２ａ　基礎情報取得手段
２２ｂ　入力手段
２２ｃ　提供手段
２２ｄ　印刷手段
２３　　インターネット
３１　　アクセサリーケース電子オーダ装置
３１ａ　基礎情報保持手段
３１ｂ　基礎情報表示手段
３１ｃ　入力手段
３１ｄ　出力手段
３１ｅ　印刷手段
４１　　受注センタ
４２　　センターサーバ
４３　　サーバ用プリンタ
４４　　ユーザ端末
４５　　ユーザ用プリンタ
４６　　インターネット
５１　　メニューページ
５２　　仕組説明ページ
５３　　ユーザデータ入力ページ
５４　　基礎データ表示ページ
５５　　個別仕様データ入力ページ
５６　　内部構成結果表示ページ
５７　　ユーザ承認入力ページ
５８　　電子商取引成立表示ページ
５９　　ユーザデータベース
６０　　基礎データベース
６１　　組合せ用パターンデータベース
６２　　アクセサリーケース内部構成作成プログラム
６３　　内部構成印刷プログラム
７１　　基礎データ表示画面
７２　　個別仕様データ入力画面
７３　　基礎データ表示画面
７４　　個別仕様データ入力画面
８１　　メモリ
８２　　ＣＰＵ
８３　　入力制御回路
８４　　出力制御回路
８５　　キーボード
８６　　マウス
８７　　ＣＲＴディスプレイ
８８　　プリンタ
９１　　基礎データベース
９２　　組合せ用パターンデータベース
９３　　処理プログラム
【図１】
2004046423.tif 000003
【図２】
2004046423.tif 000004
【図３】
2004046423.tif 000005
【図４】
2004046423.tif 000006
【図５】
2004046423.tif 000007
【図６】
2004046423.tif 000008
【図７】
2004046423.tif 000009
【図８】
2004046423.tif 000010
【図９】
2004046423.tif 000011
【図１０】
2004046423.tif 000012
【図１１】
2004046423.tif 000013
【図１２】
2004046423.tif 000014
【図１３】
2004046423.tif 000015
【図１４】
2004046423.tif 000016
【図１５】
2004046423.tif 000017